(57)【要約】  本発明の移動局の一態様は、複数のアンテナポートを利用して通信を行う移動局であって、第１の次元におけるアンテナポート数量を示す第１数量情報及び第２の次元におけるアンテナポート数量を示す第２数量情報を無線基地局から受信する受信部と、前記第１数量情報及び／又は前記第２の数量情報を用いて取得したプリコーディング行列コードブックのインデックスを前記無線基地局に送信する送信部と、を含む。これにより、二次元アンテナアレイのための、プリコーディング行列を柔軟に生成可能な移動局、無線基地局及び無線通信方法を提供することができる。
2016163543.tif 000002
【特許請求の範囲】
【請求項１】
複数のアンテナポートを利用して通信を行う移動局であって、
第１の次元におけるアンテナポート数量を示す第１数量情報及び第２の次元におけるアンテナポート数量を示す第２数量情報を無線基地局から受信する受信部と、
前記第１数量情報及び／又は前記第２の数量情報を用いて取得したプリコーディング行列コードブックのインデックスを前記無線基地局に送信する送信部と、を含む移動局。
【請求項２】
前記受信部は、前記第１の次元で送信されるビームに対するサンプリングレートを示す第１のサンプリングレート情報と、前記第２の次元で送信されるビームに対するサンプリングレートを示す第２のサンプリングレート情報と、を受信し、前記プリコーディング行列コードブックのインデックスは、前記第１の数量情報及び／又は前記第２の数量情報に加えて、前記第１のサンプリングレート情報及び／又は前記第２のサンプリングレート情報を用いて取得する請求項１に記載の移動局。
【請求項３】
前記送信部は、前記第１の次元に対応する第１のプリコーディング行列コードブックのインデックスと、前記第２の次元に対応する第２のプリコーディング行列コードブックのインデックスと、第３のプリコーディング行列コードブックのインデックスと、を送信する請求項１又は請求項２に記載の移動局。
【請求項４】
前記受信部は、前記無線基地局が送信可能となる複数ビームの中から選択された一部のビームを選択的に受信する請求項１から請求項３のいずれかに記載の移動局。
【請求項５】
前記第１の次元は前記無線基地局のアンテナアレイの水平次元であり、前記第２の次元は前記無線基地局のアンテナアレイの垂直次元である請求項１から請求項４のいずれかに記載の移動局。
【請求項６】
前記第１のプリコーディング行列コードブックのインデックスは、水平プリコーディング行列コードブックのインデックスであり、前記第２のプリコーディング行列コードブックのインデックスは、垂直プリコーディング行列コードブックのインデックスであり、前記第３のプリコーディング行列コードブックのインデックスは、偏波プリコーディング行列コードブックのインデックスである請求項３に記載の移動局。
【請求項７】
複数のアンテナポートを利用して移動局と通信を行う無線基地局であって、
第１の次元におけるアンテナポート数量を示す第１数量情報及び第２の次元におけるアンテナポート数量を示す第２数量情報を移動局に送信する送信部と、
前記第１数量情報及び／又は前記第２の数量情報を用いて前記移動局が取得したプリコーディング行列コードブックのインデックスを前記移動局から受信する受信部と、を含む無線基地局。
【請求項８】
複数のアンテナポートを利用して通信を行う移動局の通信方法であって、
第１の次元におけるアンテナポート数量を示す第１数量情報及び第２の次元におけるアンテナポート数量を示す第２数量情報を無線基地局から受信する工程と、
前記第１数量情報及び／又は前記第２の数量情報を用いて取得したプリコーディング行列コードブックのインデックスを前記無線基地局に送信する工程と、を有することを特徴とする無線通信方法。
【発明の詳細な説明】
【技術分野】
【０００１】
本発明は、プリコーディング行列を生成する方法、無線基地局と装置及び移動局に関する。より具体的に、本発明は、多入力多出力（ＭＩＭＯ）システムのための、プリコーディング行列を生成する方法、無線基地局と装置及び移動局を設計する。
【背景技術】
【０００２】
ＭＩＭＯ技術では、複数本のアンテナを配置してダイバーシティや多重化の方式でデータ伝送を行うことで、無線ネットワークでのキャパシティーを向上する。従来の通信システムでは、通常、一次元アレイのように配列される複数本のアンテナを無線基地局に設置して、水平次元で複数のユーザー装置（ＵＥ）を区別できるようにする。例えば、無線基地局には、複数のＵＥと同時に通信を行うための４本の発射アンテナが設置されてもよく、且つこの４本の発射アンテナが４×１の一次元アレイのように配列されてもよい。【０００３】
ところが、例えばマクロセルとスモールセルなどの三次元セル環境においては、ＵＥが異なる高さに位置する。例えば、建物の異なる階には複数のＵＥが分布される。この場合に、既存の、水平次元のみで複数のＵＥを区分する線形アレイは、異なる高さに位置する複数のＵＥを正確に区分することが難しい。これに鑑みて、二次元アンテナアレイが提案されており、それで、垂直次元で空間ダイバーシティを拡張することが可能となる。【０００４】
従来のプリコーディング行列を生成する方法は、一次元アンテナアレイに関する。例えば、最も新しい３ＧＰＰ規格では、無線基地局に設置される複数本のアンテナが均一線形アレイ（ｕｎｉｆｏｒｍ  ｌｉｎｅａｒ  ａｒｒａｙ，ＵＬＡ）の形のように分布されることを仮定し、且つこの仮定に基づいてプリコーディング行列のコードブックを確定する。また、異なる一次元アンテナアレイが提案され、且つ現在これらの異なる一次元アンテナアレイのそれぞれについてプリコーディング行列コードブックが提案される。例えば、３ＧＰＰ規格のＲｅｌ．８では、２×１の一次元アンテナアレイについてのプリコーディング行列コードブックが提案され、Ｒｅｌ．１０では、８×１の一次元アンテナアレイについてのプリコーディング行列コードブックが提案され、Ｒｅｌ．１２では、４×１の一次元アンテナアレイについてのプリコーディング行列コードブックが提案されるが、これらの異なる一次元アンテナアレイについてのプリコーディング行列コードブックの構成方式が同じではなく、これは、アンテナアレイを柔軟に配置することに不利である。
【発明の概要】
【発明が解決しようとする課題】
【０００５】
上記の問題点に鑑みて、二次元アンテナアレイのための、プリコーディング行列を柔軟に生成可能な移動局、無線基地局及び無線通信方法を提供することが求められる。
【課題を解決するための手段】
【０００６】
本発明の移動局の一態様は、複数のアンテナポートを利用して通信を行う移動局であって、第１の次元におけるアンテナポート数量を示す第１数量情報及び第２の次元におけるアンテナポート数量を示す第２数量情報を無線基地局から受信する受信部と、前記第１数量情報及び／又は前記第２の数量情報を用いて取得したプリコーディング行列コードブックのインデックスを前記無線基地局に送信する送信部と、を含む。また、受信部は、第１の次元で送信されるビームに対するサンプリングレートを示す第１のサンプリングレート情報と、第２の次元で送信されるビームに対するサンプリングレートを示す第２のサンプリングレート情報と、を受信し、プリコーディング行列コードブックのインデックスは、第１の数量情報及び／又は第２の数量情報に加えて、第１のサンプリングレート情報及び／又は第２のサンプリングレート情報を用いて取得することができる。また、送信部は、第１の次元に対応する第１のプリコーディング行列コードブックのインデックスと、第２の次元に対応する第２のプリコーディング行列コードブックのインデックスと、第３のプリコーディング行列コードブックのインデックスと、を送信することができる。なお、第１の次元は無線基地局のアンテナアレイの水平次元であり、第２の次元は無線基地局のアンテナアレイの垂直次元とすることができる。【０００７】
本発明の一つの実施例によれば、プリコーディング行列を生成する方法を提供し、該方法は無線基地局に適用し、無線基地局には、アンテナアレイが配置されている。前記方法は、アンテナポート総数情報、及び水平数量情報及び／又は垂直数量情報を、移動局に送信し、アンテナポート総数情報がアンテナアレイのアンテナポート総数を指示するものであり、水平数量情報がアンテナアレイの水平次元におけるアンテナポート数量を指示するものであり、垂直数量情報がアンテナアレイの垂直次元におけるアンテナポート数量を指示するものであることと、水平プリコーディングインデックス、垂直プリコーディングインデックスと偏波プリコーディングインデックスを移動局から受信することと、受信された水平プリコーディングインデックス、垂直プリコーディングインデックスと偏波プリコーディングインデックスに従って、移動局のためのプリコーディング行列を生成することと、を含む。【０００８】
本発明の他の一つの実施例によれば、プリコーディング行列を生成する方法を提供し、移動局に適用する。前記方法は、アンテナポート総数情報、及び水平数量情報及び／又は垂直数量情報を無線基地局から受信し、アンテナポート総数情報がアンテナアレイのアンテナポート総数を指示するものであり、水平数量情報がアンテナアレイの水平次元におけるアンテナポート数量を指示するものであり、垂直数量情報がアンテナアレイの垂直次元におけるアンテナポート数量を指示するものであることと、受信されたアンテナポート総数情報、及び水平数量情報及び／又は垂直数量情報に従って、無線基地局に用いられるアンテナアレイを確定することと、確定されたアンテナアレイに従って、水平プリコーディング行列コードブック、垂直プリコーディング行列コードブックと偏波プリコーディング行列コードブックを生成することと、生成された水平プリコーディング行列コードブック、垂直プリコーディング行列コードブックと偏波プリコーディング行列コードブックに従って、移動局のためのプリコーディング行列を生成することと、を含む。【０００９】
本発明の他の一つの実施例によれば、アンテナアレイが配置されている無線基地局を提供し、無線基地局は、アンテナポート総数情報、及び水平数量情報及び／又は垂直数量情報を移動局に送信し、アンテナポート総数情報がアンテナアレイのアンテナポート総数を指示するものであり、水平数量情報がアンテナアレイの水平次元におけるアンテナポート数量を指示するものであり、垂直数量情報がアンテナアレイの垂直次元におけるアンテナポート数量を指示するものであるように構成される送信部と、水平プリコーディングインデックス、垂直プリコーディングインデックスと偏波プリコーディングインデックスを移動局から受信するように構成される受信部と、受信された水平プリコーディングインデックス、垂直プリコーディングインデックスと偏波プリコーディングインデックスに従って、移動局のためのプリコーディング行列を生成するように構成されるプリコーディング生成部と、を含む。【００１０】
本発明の他の一つの実施例によれば、移動局を提供し、移動局は、アンテナポート総数情報、及び水平数量情報及び／又は垂直数量情報を無線基地局から受信し、アンテナポート総数情報がアンテナアレイのアンテナポート総数を指示するものであり、水平数量情報がアンテナアレイの水平次元におけるアンテナポート数量を指示するものであり、垂直数量情報がアンテナアレイの垂直次元におけるアンテナポート数量を指示するものであるように構成される受信部と、受信されたアンテナポート総数情報、及び水平数量情報及び／又は垂直数量情報に従って、無線基地局に用いられるアンテナアレイを確定するように構成されるアレイ確定部と、確定されたアンテナアレイに従って、水平プリコーディング行列コードブック、垂直プリコーディング行列コードブックと偏波プリコーディング行列コードブックを生成するように構成されるコードブック生成部と、生成された水平プリコーディング行列コードブック、垂直プリコーディング行列コードブックと偏波プリコーディング行列コードブックに従って、移動局のためのプリコーディング行列を生成するように構成されるプリコーディング行列生成部とを、含む。
【発明の効果】
【００１１】
本発明の実施例の方案によれば、二次元アンテナアレイのための、プリコーディング行列を生成する方法を提供し、且つこのプリコーディング行列を生成する方法は、異なる方式で設置されたアンテナアレイに適用することができる。このため、本発明の実施例の方案によれば、移動局、つまりＵＥは、無線基地局のアンテナ配置に従ってコードブックを柔軟に生成することができ、異なるアンテナ配置についてそれぞれプリコーディング行列を生成する方法を確定する必要がない。
【図面の簡単な説明】
【００１２】
【図１】本発明の実施例の１つによる、プリコーディング行列を生成する方法を記述するフローチャートである。
【図２】本発明の他の一つの実施例による、プリコーディング行列を生成する方法を記述するフローチャートである。
【図３】本発明の例示の１つによる、ＵＥのためのプリコーディング行列を生成する方法を示すフローチャートである。
【図４】本発明の一つの実施例による無線基地局を示す典型的な構造ブロック図である。
【図５】本発明の一つの実施例による移動局を示す典型的な構造ブロック図である。
【図６】本発明の例示の１つによる、プリコーディング行列生成部を示す典型的な構造ブロック図である。
【発明を実施するための形態】
【００１３】
以下、図面を参照しながら、本発明の好ましい実施例を詳しく記述する。本明細書と図面において、基本的に同じステップと要素を同じ図面符号で表示し、且つこれらのステップと要素の重複解釈を省略することに注意すべきである。
【００１４】
図１は、本発明の１つの実施例による、プリコーディング行列を生成する方法１００を記述するフローチャートである。プリコーディング行列を生成する方法１００は、無線基地局に適用することができる。本発明による実施例では、無線基地局には、アンテナアレイが配置され、空間域の水平次元及び／又は垂直次元においてダイバーシティを行うようにする。以下、図１を参照しながら、本発明の１つの実施例による、プリコーディング行列を生成する方法１００を記述する。
【００１５】
図１に示されたように、無線基地局は、この無線基地局におけるアンテナアレイの設置方式をＵＥに通知する。具体的に、ステップＳ１０１において、アンテナポート（ＡＰ）総数情報、及び水平数量情報及び／又は垂直数量情報をＵＥに送信する。アンテナポート総数情報がアンテナアレイのアンテナポート総数を指示するものであり、水平数量情報がアンテナアレイの水平次元におけるアンテナポート数量を指示するものであり、垂直数量情報がアンテナアレイの垂直次元におけるアンテナポート数量を指示するものである。
【００１６】
水平数量情報は、アンテナアレイの水平次元におけるアンテナポート数量であってもよく、且つ垂直数量情報は、アンテナアレイの垂直次元におけるアンテナポート数量であってもよい。例えば、無線基地局は、４×２の二次元アンテナアレイが配置され、その中に、水平次元においてＡＰが４つ設置され、且つ垂直次元においてＡＰが２つ設置されてもよい。この場合に、ステップＳ１０１によって、値が８であるＡＰ総数情報、及び値が４である水平数量情報及び／又は値が２である垂直数量情報を、ＵＥに送信する。
【００１７】
本発明の１つの例示によれば、ＡＰ総数情報、水平数量情報と垂直数量情報を、ＵＥに送信する。また、本発明の他の１つの例示によれば、ＡＰ総数情報、及び水平数量情報と垂直数量情報のうちの１つをＵＥに送信する。ＵＥは、まず、受信された情報に従って水平数量情報と垂直数量情報のうちの他の１つを算出し、そして、無線基地局のアンテナアレイ配置を確定する。
【００１８】
本発明の１つの例示によれば、ステップＳ１０１において、ＲＲＣシグナリングによって、周期的又は非周期的に、ＡＰ総数情報、及び水平数量情報及び／又は垂直数量情報を、無線基地局と接続されるＵＥに通知する。例えば、ＣＳＩ−Ｃｏｎｆｉｇ  ＲＲＣシグナリングに情報エレメント（ＩＥ）を増加して上記情報を通知する。しかしながら、無線基地局は、通常、百ミリ秒を周期としてＲＲＣシグナリングを送信して送信の周期が長いので、ＵＥの必要を適時に満足できない場合がある。これに鑑みて、本発明の他の１つの例示によれば、ステップＳ１０１において、トリガーされた物理層シグナリングによって、ＡＰ総数情報、及び水平数量情報及び／又は垂直数量情報を通知してもよい。この物理層シグナリングが必要に応じてトリガーすることができるので、無線基地局は、より柔軟に、ＵＥに通知する。例えば、Ａ−ＣＳＩについてトリガーするＤＣＩの物理層シグナリングにおいて、上記情報を通知する。
【００１９】
また、代わりに、水平数量情報及び／又は垂直数量情報は、無線基地局に用いられる通信標準のリリース情報であってもよい。ＵＥは、通信標準のリリース情報に従って、無線基地局に用いられるアンテナアレイの配置を確定する。選択的には、無線基地局は、新たなＰＭＩフィードバック設定シグナリング（ＰＭＩ  ｆｅｅｄｂａｃｋ  ｃｏｎｆｉｇ  ｓｉｇｎａｌｉｎｇ）によって、この無線基地局のＡＰ総数情報とそれに用いられる通信標準のリリース情報をＵＥに通知する。例えば、無線基地局にアンテナが４本設置され、且つ３ＧＰＰ規格のＲｅｌ．１２を使用して通信を行う時に、ステップＳ１０１において、新たなＰＭＩフィードバック設定シグナリングａｌｔｅｒｎａｔｉｖｅＣｏｄｅＢｏｏｋＥｎａｂｌｅｄＦｏｒ４ＴＸ−ｒ１２をＵＥに送信する。このシグナリングは、無線基地局が３ＧＰＰ規格のＲｅｌ．１２を使用し、且つＡＰ総数が４であることを指示する。このシグナリングによって、ＵＥは、無線基地局におけるアンテナアレイのアンテナポート総数が４であって、且つこの４本のアンテナがＲｅｌ．１２リリースで規定された方式で配列されることを知ることができ、それによって、無線基地局におけるアンテナアレイの配列方式を確定し、つまり、Ｒｅｌ．１２リリースによって、無線基地局におけるアンテナ配列が４×１の一次元アレイであることを確定する。
【００２０】
プリコーディング行列コードブックと無線基地局におけるアンテナアレイの設置方式との対応関係を予め設置してもよい。ＵＥは、確定された無線基地局におけるアンテナアレイの設置方式に従って、このアンテナアレイの設置方式に対応するプリコーディング行列コードブックを生成する。
【００２１】
そして、ＵＥは、プリコーディング行列コードブックに従って、このＵＥが使用するプリコーディング行列を生成し、且つ指示されるプリコーディング行列のインデックスを無線基地局にフィードバックし、それによって、無線基地局は、インデックスに従って、このＵＥが使用するプリコーディング行列を確定する。図１に示すように、ステップＳ１０２において、水平プリコーディングインデックス、垂直プリコーディングインデックスと偏波プリコーディングインデックスをＵＥから受信する。そして、ステップＳ１０３において、受信された水平プリコーディングインデックス、垂直プリコーディングインデックスと偏波プリコーディングインデックスに従って、ＵＥのためのプリコーディング行列を生成する。本発明の１つの例示によれば、無線基地局とＵＥとに予め設置されるプリコーディング行列コードブックは、水平プリコーディング行列コードブック、垂直プリコーディング行列コードブックと偏波プリコーディング行列コードブックに従って生成される。水平プリコーディングインデックス、垂直プリコーディングインデックスと偏波プリコーディングインデックスは、そのプリコーディング行列を生成する時に水平プリコーディング行列コードブック、垂直プリコーディング行列コードブックと偏波プリコーディング行列コードブックから選択される水平プリコーディング行列、垂直プリコーディング行列と偏波プリコーディング行列をＵＥにそれぞれ指示し、プリコーディング行列を生成する。
【００２２】
また、本発明の他の１つの例示によれば、アンテナアレイが垂直次元において複数のビームを発射でき、つまり、複数の垂直ビームを発射できる。垂直プリコーディングインデックスは、ＵＥで検出される複数の垂直ビームのうちに最も大きなアンテナゲインを有する垂直ビームに対応する垂直プリコーディング行列のインデックスであってもよい。選択的には、無線基地局は、事前情報に従って、複数の垂直ビームのうちの一部の垂直ビームだけを使用してＵＥに信号を送信すると確定する。この場合に、好ましくは、無線基地局で選択された垂直ビームをＵＥに通知し、それによって、ＵＥが無線基地局で選択された垂直ビームだけを検査することで、ＵＥで行うべき操作を簡略化する。
【００２３】
具体的に、図１に示す方法１００では、アンテナアレイで発射できる複数の垂直ビームのうち、ＵＥと通信するための垂直ビームの第一数量を確定すること、及び第一数量を指示する第一数量情報をＵＥに通知することをさらに含み、それによって、ＵＥは、第一数量の垂直ビームに従って、垂直プリコーディングインデックスを確定する。第一数量情報は、確定された、ＵＥと通信するための垂直ビームの第一数量であってもよい。代わりに、第一数量情報は、前記第一数量を直接に指示せずに、アンテナアレイで発射できる垂直ビームの総数と、垂直ビームに対するサンプリングレートとを含む。よって、ＵＥは、垂直ビームの総数と垂直ビームに対するサンプリングレートとに従って、このＵＥと通信する垂直ビームを確定する。例えば、アンテナアレイで発射できる垂直ビームの総数が１０である。無線基地局は、事前情報に従って、１０つの垂直ビームのうちの５つを使用してＵＥとの信号伝送を行うと確定する。この場合に、第一数量情報は、第一数量５であってもよく、垂直ビームの総数１０と垂直ビームに対するサンプリングレート２であってもよい。
【００２４】
また、垂直ビームと類似に、本発明のもう１つの例示によれば、アンテナアレイが水平次元において複数のビームを発射でき、つまり、複数の水平ビームを発射できる。水平プリコーディングインデックスは、ＵＥで検出された、複数の水平ビームのうちに最も大きなアンテナゲインを有する水平ビームに対応する水平プリコーディング行列のインデックスであってもよい。選択的には、無線基地局は、事前情報に従って、複数の水平ビームのうちの一部の水平ビームだけを使用してＵＥに信号を送信すると確定する。この場合に、好ましくは、無線基地局で選択された水平ビームをＵＥに通知し、それによって、ＵＥが無線基地局で選択された水平ビームだけを検査することで、ＵＥで行うべき操作を簡略化する。
【００２５】
具体的に、図１に示す方法１００では、アンテナアレイで発射できる複数の水平ビームのうち、ＵＥと通信するための水平ビームの第二数量を確定すること、及び第二数量を指示する第二数量情報をＵＥに通知することをさらに含み、それによって、ＵＥは、第二数量の水平ビームに従って、水平プリコーディングインデックスを確定する。第二数量情報は、確定された、ＵＥと通信するための水平ビームの第二数量であってもよい。代わりに、第二数量情報は、前記第二数量を直接に指示せずに、アンテナアレイで発射できる水平ビームの総数と、水平ビームに対するサンプリングレートとを含む。よって、ＵＥは、水平ビームの総数と水平ビームに対するサンプリングレートとに従って、このＵＥと通信する水平ビームを確定する。
【００２６】
また、ＡＰ総数情報、水平数量情報及び垂直数量情報と類似に、ＲＲＣシグナリングによって、周期的又は非周期的に、第一数量情報と第二数量情報を、無線基地局と接続されるＵＥに通知してもよいし、代わりに、トリガーされる物理層シグナリングによって、第一数量情報と第二数量情報を通知してもよい。
【００２７】
本実施例による、プリコーディング行列を生成する方法は、異なる方式で設置されるアンテナアレイに適用する。例えば、この方法は、一次元アンテナアレイに適用するだけではなく、二次元アンテナアレイにも適用する。本実施例の方法は、ＵＥでのプリコーディング行列を生成する過程を変更する必要がないことを前提に、無線基地局が実際の必要に応じてアンテナ配置を調整する可能性を提供した。
【００２８】
図２は、本発明の他の一つの実施例による、プリコーディング行列を生成する方法２００を記述するフローチャートである。プリコーディング行列を生成する方法２００は、移動局（つまり、ＵＥ）に適用することができる。本発明による実施例では、ＵＥは、アンテナアレイが配置される無線基地局に接続する。以下、図２を参照しながら、本発明の実施例の１つによる、プリコーディング行列を生成する方法２００を記述する。
【００２９】
図２に示されたように、ステップＳ２０１において、ＡＰ総数情報、及び水平数量情報及び／又は垂直数量情報を無線基地局から受信する。ＡＰ総数情報がアンテナアレイのＡＰ総数を指示するものであり、水平数量情報がアンテナアレイの水平次元におけるＡＰ数量を指示するものであり、垂直数量情報がアンテナアレイの垂直次元におけるＡＰ数量を指示するものである。そして、ステップＳ２０２において、受信されたアンテナポート総数情報、及び水平数量情報及び／又は垂直数量情報に従って、無線基地局に用いられるアンテナアレイを確定する。
【００３０】
本発明の１つの例示によれば、ステップＳ２０１において、水平数量情報と垂直数量情報を受信した時に、ステップＳ２０２において、直接に、水平数量情報と垂直数量情報に従って無線基地局のアンテナアレイを確定する。
【００３１】
また、本発明の例示の他の１つによれば、ステップＳ２０１において水平数量情報と垂直数量情報のうちの一つを受信した時に、ステップＳ２０２において、まず、受信されたＡＰ総数情報及び水平数量情報と垂直数量情報のうちの１つに従って、水平数量情報と垂直数量情報のうちの他の一つを取得し、そして、水平数量情報と垂直数量情報に従って、無線基地局のアンテナアレイを確定する。例えば、ステップＳ２０１において、ＡＰ総数情報が８であって水平数量情報が４であることを受信した時に、ステップＳ２０２において、まず、ＡＰ総数情報８及び水平数量情報４に従って、アンテナアレイの垂直次元におけるＡＰ数量が２であるべきであると確定し、つまり、垂直数量情報が２であり、そして、水平数量情報と垂直数量情報に従って、無線基地局のアンテナアレイが４×２の二次元アンテナアレイであると確定する。
【００３２】
ステップＳ２０３において、確定されたアンテナアレイに従って、水平プリコーディング行列コードブック、垂直プリコーディング行列コードブックと偏波プリコーディング行列コードブックを生成する。上記のように、プリコーディング行列コードブックと無線基地局におけるアンテナアレイの設置方式との対応関係を予め設置してもよい。ステップＳ２０３において、ＵＥは、確定された無線基地局におけるアンテナアレイの設置方式に従って、このアンテナアレイの設置方式に対応するプリコーディング行列コードブックを生成する。本発明の１つの例示によれば、予め設置されたプリコーディング行列コードブックは、アンテナアレイの設置方式に対応付けた水平プリコーディング行列コードブック、垂直プリコーディング行列コードブックと偏波プリコーディング行列コードブックから構成される。選択的には、水平プリコーディング行列コードブック、垂直プリコーディング行列コードブックと偏波プリコーディング行列コードブックは、離散フーリエ変換（ＤＦＴ）形式のベクトルであってもよい。
【００３３】
【数１】
2016163543.tif 000003
【００３４】
【数２】
2016163543.tif 000004
【００３５】
【数３】
2016163543.tif 000005
【００３６】
【数４】
2016163543.tif 000006
【００３７】
【数５】
2016163543.tif 000007
【００３８】
そして、ステップＳ２０４において、生成された水平プリコーディング行列コードブック、垂直プリコーディング行列コードブックと偏波プリコーディング行列コードブックに従って、ＵＥのためのプリコーディング行列を生成する。異なるニーズに応じて、水平プリコーディング行列コードブック、垂直プリコーディング行列コードブックと偏波プリコーディング行列コードブックに従ってＵＥのためのプリコーディング行列を生成する各種方法を確定する。図３は、本発明の１つの例示によれば、ＵＥのためのプリコーディング行列を生成する方法３００を示すフローチャートである。図３に示すように、ステップＳ３０１において、アンテナアレイで発射できる複数の垂直ビームのうち少なくとも一部の垂直ビームのアンテナゲインを検出することで、少なくとも一部の垂直ビームのうち最も大きなアンテナゲインを有する垂直ビームに対応する垂直プリコーディングインデックスを取得する。そして、ステップＳ３０２において、垂直プリコーディングインデックスと垂直プリコーディング行列コードブックに従って、垂直プリコーディング行列を確定する。
【００３９】
本発明の１つの例示によれば、アンテナアレイが垂直次元において複数のビームを発射でき、つまり、複数の垂直ビームを発射できる。各方式で設置されるアンテナアレイで発射できる垂直ビームの数量を、予めＵＥに記憶する、又は特定の無線基地局が発射できる垂直ビームの数量をＵＥに通知する。以上式（１）におけるＢは、確定されたアンテナアレイで発射できる垂直のビームの数量であってもよい。この場合に、ステップＳ３０１によって、アンテナアレイで発射できる全ての複数の垂直ビームのアンテナゲインを検出し、且つアンテナアレイで発射できる全ての複数の垂直ビームのうちに最も大きなアンテナゲインを有する垂直ビームに対応する垂直プリコーディングインデックスに従って、ｍ値を確定する。また、本発明の他の１つの例示によれば、無線基地局は、事前情報に従って、複数の垂直ビームのうちの一部の垂直ビームだけを使用してＵＥに信号を送信すると確定し、且つ無線基地局で選択された垂直ビームをＵＥに通知する。この場合に、本発明の例示の他の１つによれば、図２又は図３に示す方法では、第一数量情報を無線基地局から受信し、第一数量情報が複数の垂直ビームのうちにＵＥと通信するための垂直ビームの第一数量を指示するものであることをさらに含む。以上式（１）におけるＢは、受信された第一数量情報によって指示される第一数量であってもよい。ステップＳ３０１において、アンテナアレイで発射する第一数量の垂直ビームのアンテナゲインだけを検出し、且つアンテナアレイで発射する第一数量の垂直ビームのうちに最も大きなアンテナゲインを有する垂直ビームに対応する垂直プリコーディングインデックスに従って、ｍ値を確定する。よって、ＵＥで行うべき操作を簡略化する。
【００４０】
水平次元においては、上記のような垂直次元において行われる操作と類似する操作を、実行することができる。図３に示すように、ステップＳ３０３において、アンテナアレイで発射できる複数の水平ビームのうち少なくとも一部の水平ビームのアンテナゲインを検出することで、少なくとも一部の水平ビームのうちに最も大きなアンテナゲインを有する水平ビームに対応する水平プリコーディングインデックスを取得する。そして、ステップＳ３０４において、水平プリコーディングインデックスと水平プリコーディング行列コードブックに従って、水平プリコーディング行列を確定する。
【００４１】
本発明の１つの例示によれば、アンテナアレイが水平次元において複数のビームを発射でき、つまり、複数の水平ビームを発射できる。各方式で設置されるアンテナアレイで発射できる水平ビームの数量を、予めＵＥに記憶する、又は特定の無線基地局が発射できる垂直ビームの数量をＵＥに通知する。以上式（２）におけるＣは、確定されたアンテナアレイで発射できる水平のビームの数量であってもよい。この場合に、ステップＳ３０３によって、アンテナアレイで発射できる全ての複数の水平ビームのアンテナゲインを検出し、且つｎは、アンテナアレイで発射できる全部の複数の水平ビームのうちに最も大きなアンテナゲインを有する水平ビームに対応する水平プリコーディングインデックスである。また、本発明の例示の他の１つによれば、無線基地局は、事前情報に従って、複数の水平ビームのうちの一部の水平ビームだけを使用してＵＥに信号を送信するように確定し、且つ無線基地局によって選択された水平ビームをＵＥに通知する。この場合に、本発明の他の１つの例示によれば、図２又は図３に示す方法では、第二数量情報を無線基地局から受信し、第二数量情報が複数の垂直ビームのうちにＵＥと通信するための水平ビームの第二数量を指示するものであることをさらに含む。以上式（２）におけるＣは、受信された第二数量情報によって指示される第二数量であってもよい。ステップＳ３０３において、アンテナアレイで発射する第二数量の水平ビームのアンテナゲインだけを検出し、且つｎは、アンテナアレイで発射する第二数量の水平ビームのうちに最も大きなアンテナゲインを有する水平ビームに対応する水平プリコーディングインデックスである。よって、ＵＥで行うべき操作を簡略化する。
【００４２】
ステップＳ３０５において、確定されたアンテナアレイに従って偏波プリコーディングインデックスを生成する。偏波プリコーディングインデックスは、ＵＥで偏波を行う方式を指示する。例えば、ＵＥがアンテナアレイから発射される信号に対して水平偏波を行う時に、以上式（３）におけるｋの値が１であってもよく、ＵＥがアンテナアレイから発射される信号に対して垂直偏波を行う時に、以上式（３）におけるｋの値が２であってもよい。そして、ステップＳ３０６において、偏波プリコーディングインデックスと偏波プリコーディング行列コードブックに従って、偏波プリコーディング行列を生成する。
【００４３】
最後、ステップＳ３０７において、水平プリコーディング行列、垂直プリコーディング行列と偏波プリコーディング行列に従って、ＵＥのためのプリコーディング行列を生成する。例えば、以上式（４）又は（５）に従って、ＵＥのためのプリコーディング行列を生成する。
【００４４】
図３に示す方法の各ステップは、必ずしも示された順序に従って実行しないことに注意すべきである。いくつかのステップを逆にまたは並行に実行してもよい。例えば、垂直プリコーディングインデックスを検出して生成するステップと、水平プリコーディングインデックスを検出して生成するステップと、偏波プリコーディングインデックスを生成するステップとを、同時に実行することができる。
【００４５】
また、本発明の他の１つの例示によれば、水平プリコーディングインデックス、垂直プリコーディングインデックス及び偏波プリコーディングインデックスを生成した後に、無線基地局がＵＥのためのプリコーディング行列を生成するように、生成された水平プリコーディングインデックス、垂直プリコーディングインデックス及び偏波プリコーディングインデックスを無線基地局に送信する。
【００４６】
本実施例による、プリコーディング行列を生成する方法は、異なる方式で設置されるアンテナアレイに適用する。例えば、この方法は、一次元アンテナアレイに適用するだけではなく、二次元アンテナアレイにも適用する。よって、本実施例による、プリコーディング行列を生成する方法では、ＵＥは、無線基地局のアンテナ配置に従ってコードブックを柔軟に生成することができ、予めＵＥにおいて、異なるアンテナ配置についてそれぞれプリコーディング行列を生成する方法を確定する必要がない。
【００４７】
以下、図４を参照しながら、本発明の実施例の無線基地局を説明する。図４は、本発明の１つの実施例による無線基地局４００を示す典型的な構造ブロック図である。無線基地局４００は、アンテナアレイ（不図示）が配置される。また、図４に示すように、本実施例の無線基地局４００は、送信部４１０、受信部４２０、プリコーディング生成部４３０を含む。無線基地局４００の各部は、上記図１におけるプリコーディング行列を生成する方法１００の各ステップ／機能をそれぞれ実行する。このため、以下、無線基地局４００の主要な部品だけを記述し、以上図１を結合して記述した詳細内容を省略する。
【００４８】
送信部４１０は、アンテナポート（ＡＰ）総数情報、及び水平数量情報及び／又は垂直数量情報をＵＥに送信する。アンテナポート総数情報がアンテナアレイのアンテナポート総数を指示するものであり、水平数量情報がアンテナアレイの水平次元におけるアンテナポート数量を指示するものであり、垂直数量情報がアンテナアレイの垂直次元におけるアンテナポート数量を指示するものである。
【００４９】
水平数量情報は、アンテナアレイの水平次元におけるアンテナポート数量であってもよく、且つ垂直数量情報は、アンテナアレイの垂直次元におけるアンテナポート数量であってもよい。また、本発明の１つの例示によれば、送信部４１０は、ＡＰ総数情報、水平数量情報と垂直数量情報をＵＥに送信する。本発明の例示の他の１つによれば、送信部４１０は、ＡＰ総数情報及び水平数量情報と垂直数量情報のうちの１つをＵＥに送信してもよい。ＵＥは、まず、受信された情報に従って水平数量情報と垂直数量情報のうちの他の一つを算出し、そして、無線基地局のアンテナアレイ配置を確定する。
【００５０】
本発明の１つの例示によれば、送信部４１０は、ＲＲＣシグナリングによって、周期的又は非周期的に、ＡＰ総数情報、及び水平数量情報及び／又は垂直数量情報を、無線基地局と接続されるＵＥに通知する。例えば、ＣＳＩ−ｃｏｎｆｉｇ  ＲＲＣシグナリングに情報エレメント（ＩＥ）を増加して上記情報を通知する。しかしながら、無線基地局は、通常、百ミリ秒を周期としてＲＲＣシグナリングを送信し、送信の周期が長いので、ＵＥの必要を適時に満足できない場合がある。これに鑑みて、本発明の例示の他の１つによれば、送信部４１０は、トリガーされる物理層シグナリングによって、ＡＰ総数情報、及び水平数量情報及び／又は垂直数量情報を通知してもよい。この物理層シグナリングが必要に応じてトリガーされることができるので、無線基地局は、より柔軟に、ＵＥに通知する。例えば、Ａ−ＣＳＩについてトリガーするＤＣＩの物理層シグナリングにおいて、上記情報を通知する。
【００５１】
また、代わりに、水平数量情報及び／又は垂直数量情報は、無線基地局に用いられる通信標準のリリース情報であってもよい。ＵＥは、通信標準のリリース情報に従って、無線基地局に用いられるアンテナアレイの配置を確定する。選択的には、送信部４１０は、新たなＰＭＩフィードバック設定シグナリングによって、無線基地局４００のＡＰ総数情報とそれに用いられる通信標準のリリース情報をＵＥに通知する。
【００５２】
プリコーディング行列コードブックと無線基地局におけるアンテナアレイの設置方式との対応関係を予め設定してもよい。ＵＥは、確定された無線基地局におけるアンテナアレイの設置方式に従って、このアンテナアレイの設置方式に対応するプリコーディング行列コードブックを生成する。
【００５３】
そして、ＵＥは、プリコーディング行列コードブックに従って、当該ＵＥが使用するプリコーディング行列を生成し、且つ前記プリコーディング行列を指示するインデックスを無線基地局にフィードバックし、それによって、無線基地局は、インデックスに従って、このＵＥが使用するプリコーディング行列を確定する。図４に示す無線基地局４００では、受信部４２０は水平プリコーディングインデックス、垂直プリコーディングインデックスと偏波プリコーディングインデックスをＵＥから受信する。そして、プリコーディング生成部４３０は、受信された水平プリコーディングインデックス、垂直プリコーディングインデックスと偏波プリコーディングインデックスに従って、ＵＥのためのプリコーディング行列を生成する。本発明の１つの例示によれば、無線基地局４００とＵＥとに予め設置されるプリコーディング行列コードブックは、水平プリコーディング行列コードブック、垂直プリコーディング行列コードブックと偏波プリコーディング行列コードブックに従って生成される。水平プリコーディングインデックス、垂直プリコーディングインデックスと偏波プリコーディングインデックスは、そのプリコーディング行列を生成する時に水平プリコーディング行列コードブック、垂直プリコーディング行列コードブックと偏波プリコーディング行列コードブックから選択される水平プリコーディング行列、垂直プリコーディング行列と偏波プリコーディング行列をＵＥにそれぞれ指示し、プリコーディング行列を生成する。
【００５４】
また、本発明の他の１つの例示によれば、無線基地局４００のアンテナアレイが垂直次元において複数のビームを発射でき、つまり、複数の垂直ビームを発射できる。受信部４２０で受信された垂直プリコーディングインデックスは、ＵＥで検出される複数の垂直ビームのうちに最も大きなアンテナゲインを有する垂直ビームに対応する垂直プリコーディング行列のインデックスであってもよい。選択的には、無線基地局４００は、事前情報に従って、複数の垂直ビームのうちの一部の垂直ビームだけを使用してＵＥに信号を送信すると確定する。この場合に、好ましくは、送信部４１０は、無線基地局で選択された垂直ビームをＵＥに通知し、それによって、ＵＥが無線基地局で選択された垂直ビームだけを検査することで、ＵＥで行うべき操作を簡略化する。
【００５５】
具体的に、無線基地局４００は、アンテナアレイで発射できる複数の垂直ビームのうちにＵＥと通信するための垂直ビームの第一数量を確定する垂直ビーム選択部をさらに含む。且つ、送信部４１０は、さらに、ＵＥが第一数量の垂直ビームに従って垂直プリコーディングインデックスを確定するように、第一数量を指示する第一数量情報をＵＥに通知する。第一数量情報は、確定された、ＵＥと通信するための垂直ビームの第一数量であってもよい。代わりに、第一数量情報は、前記第一数量を直接に指示せずに、アンテナアレイで発射できる垂直ビームの総数と、垂直ビームに対するサンプリングレートとを含む。よって、ＵＥは、垂直ビームの総数と垂直ビームに対するサンプリングレートとに従って、このＵＥと通信する垂直ビームを確定する。
【００５６】
また、垂直ビームと類似に、本発明のもう１つの例示によれば、無線基地局４００のアンテナアレイが水平次元において複数のビームを発射でき、つまり、複数の水平ビームを発射できる。受信部４２０で受信された水平プリコーディングインデックスは、ＵＥで検出された、複数の水平ビームのうちに最も大きなアンテナゲインを有する水平ビームに対応する水平プリコーディング行列のインデックスであってもよい。選択的には、無線基地局４００は、事前情報に従って、複数の水平ビームのうちの一部の水平ビームだけを使用してＵＥに信号を送信すると確定する。この場合に、好ましくは、送信部４１０は、無線基地局で選択された水平ビームをＵＥに通知し、それによって、ＵＥが無線基地局で選択された水平ビームだけを検査することで、ＵＥで行うべき操作を簡略化する。
【００５７】
具体的に、無線基地局４００は、アンテナアレイで発射できる複数の水平ビームのうちにＵＥと通信するための水平ビームの第二数量を確定する水平ビーム選択部を含み、且つ、送信部４１０は、ＵＥが第二数量の水平ビームに従って水平プリコーディングインデックスを確定するように、第二数量を指示する第二数量情報をＵＥに通知する。第二数量情報は、確定された、ＵＥと通信するための水平ビームの第二数量であってもよい。代わりに、第二数量情報は、前記第二数量を直接に指示せずに、アンテナアレイで発射できる水平ビームの総数と、水平ビームに対するサンプリングレートとを含む。よって、ＵＥは、水平ビームの総数と水平ビームに対するサンプリングレートとに従って、このＵＥと通信する水平ビームを確定する。
【００５８】
また、ＡＰ総数情報、水平数量情報及び垂直数量情報と同様に、送信部は、ＲＲＣシグナリングによって、周期的又は非周期的に、第一数量情報と第二数量情報を、無線基地局と接続されるＵＥに通知してもよいし、代わりに、トリガーされる物理層シグナリングによって、第一数量情報と第二数量情報を通知してもよい。
【００５９】
本実施例による無線基地局によれば、異なる方式で設置されるアンテナアレイに対して、プリコーディング行列コードブック及びＵＥで使用されるプリコーディング行列を柔軟に生成する。よって、無線基地局は、実際の必要に応じてアンテナ配置を調整することができ、ＵＥでのプリコーディング行列を生成する過程を変更する必要がない。
【００６０】
以下、図５を参照しながら、本発明の実施例の移動局（つまり、ＵＥ）を説明する。図５は、本発明の１つの実施例による移動局５００を示す典型的な構造ブロック図である。移動局５００は、アンテナアレイが配置される無線基地局と接続される。図５に示すように、本実施例の移動局５００は、受信部５１０、アレイ確定部５２０、コードブック生成部５３０、プリコーディング行列生成部５４０を含む。移動局５００の各部は、上記図２におけるプリコーディング行列を生成する方法２００の各ステップ／機能をそれぞれ実行する。このため、以下、移動局５００の主要な部品だけを記述し、以上図２を結合して記述した詳細内容を省略する。
【００６１】
受信部５１０は、アンテナポート（ＡＰ）総数情報、及び水平数量情報及び／又は垂直数量情報を無線基地局から受信する。ＡＰ総数情報がアンテナアレイのＡＰ総数を指示するものであり、水平数量情報がアンテナアレイの水平次元におけるＡＰ数量を指示するものであり、垂直数量情報がアンテナアレイの垂直次元におけるＡＰ数量を指示するものである。そして、アレイ確定部５２０は、受信されたアンテナポート総数情報、及び水平数量情報及び／又は垂直数量情報に従って、無線基地局に用いられるアンテナアレイを確定する。
【００６２】
本発明の１つの例示によれば、受信部５１０が水平数量情報と垂直数量情報を受信した時に、アレイ確定部５２０は、直接に、水平数量情報と垂直数量情報に従って無線基地局のアンテナアレイを確定する。また、本発明の他の１つの例示によれば、受信部５１０が水平数量情報と垂直数量情報のうちの１つを受信した時に、アレイ確定部５２０は、まず、受信されたＡＰ総数情報及び水平数量情報と垂直数量情報のうちの１つに従って、水平数量情報と垂直数量情報のうちの他の一つを取得し、そして、水平数量情報と垂直数量情報に従って、無線基地局のアンテナアレイを確定する。
【００６３】
コードブック生成部５３０は、確定されたアンテナアレイに従って、水平プリコーディング行列コードブック、垂直プリコーディング行列コードブックと偏波プリコーディング行列コードブックを生成する。上記のように、プリコーディング行列コードブックと無線基地局におけるアンテナアレイの設置方式との対応関係を予め設置してもよい。コードブック生成部５３０は、確定された無線基地局におけるアンテナアレイの設置方式に従って、アンテナアレイの設置方式に対応するプリコーディング行列コードブックを生成する。本発明の例示の１つによれば、予め設置されたプリコーディング行列コードブックは、アンテナアレイの設置方式に対応付けた水平プリコーディング行列コードブック、垂直プリコーディング行列コードブックと偏波プリコーディング行列コードブックから構成される。選択的には、水平プリコーディング行列コードブック、垂直プリコーディング行列コードブックと偏波プリコーディング行列コードブックは、離散フーリエ変換（ＤＦＴ）形式のベクトルであってもよい。例えば、上記のように、式（１）−（５）によって、アンテナアレイの設置方式に対応付けたプリコーディング行列コードブックを生成する。
【００６４】
そして、プリコーディング行列生成部５４０は、生成された水平プリコーディング行列コードブック、垂直プリコーディング行列コードブックと偏波プリコーディング行列コードブックに従って、ＵＥのためのプリコーディング行列を生成する。プリコーディング行列生成部５４０が、異なるニーズに応じて、水平プリコーディング行列コードブック、垂直プリコーディング行列コードブックと偏波プリコーディング行列コードブックに従ってＵＥのためのプリコーディング行列を生成する各種方法を確定する。図６は、本発明の１つの例示による、プリコーディング行列生成部５４０を示す典型的な構造ブロック図である。図６に示すように、プリコーディング行列生成部５４０は、垂直プリコーディング行列確定モジュール６１０、水平プリコーディング行列確定モジュール６２０、偏波プリコーディング行列確定モジュール６３０、及びプリコーディング行列生成モジュール６４０を含む。
【００６５】
具体的に、移動局５００は、検出部を含む。検出部は、アンテナアレイで発射できる複数の垂直ビームのうちの少なくとも一部の垂直ビームのアンテナゲインを検出することで、少なくとも一部の垂直ビームのうちに最も大きなアンテナゲインを有する垂直ビームに対応する垂直プリコーディングインデックスを取得する。そして、垂直プリコーディング行列確定モジュール６１０は、垂直プリコーディングインデックスと垂直プリコーディング行列コードブックに従って、垂直プリコーディング行列を確定する。
【００６６】
本発明の１つの例示によれば、アンテナアレイが垂直次元において複数のビームを発射でき、つまり、複数の垂直ビームを発射できる。各方式で設置されるアンテナアレイで発射できる垂直ビームの数量を、予めＵＥに記憶する、又は特定の無線基地局が発射できる垂直ビームの数量をＵＥに通知する。以上式（１）におけるＢは、確定されたアンテナアレイで発射できる垂直のビームの数量であってもよい。この場合に、検出部は、アンテナアレイで発射できる全ての複数の垂直ビームのアンテナゲインを検出し、且つアンテナアレイで発射できる全ての複数の垂直ビームのうちに最も大きなアンテナゲインを有する垂直ビームに対応する垂直プリコーディングインデックスに従って、ｍ値を確定する。また、本発明の他の１つの例示によれば、無線基地局は、事前情報に従って、複数の垂直ビームのうちの一部の垂直ビームだけを使用してＵＥに信号を送信すると確定し、且つ無線基地局で選択された垂直ビームをＵＥに通知する。この場合に、本発明の例示の他の１つによれば、受信部５１０は、さらに、第一数量情報を無線基地局から受信し、第一数量情報が複数の垂直ビームのうちにＵＥと通信するための垂直ビームの第一数量を指示するものである。以上式（１）におけるＢは、受信された第一数量情報によって指示される第一数量であってもよい。検出部は、アンテナアレイで発射する第一数量の垂直ビームのアンテナゲインだけを検出し、且つアンテナアレイで発射する第一数量の垂直ビームのうちに最も大きなアンテナゲインを有する垂直ビームに対応する垂直プリコーディングインデックスに従って、ｍ値を確定する。よって、ＵＥで行うべき操作を簡略化する。
【００６７】
水平プリコーディング行列確定モジュール６２０は、垂直プリコーディング行列確定モジュール６１０によって垂直次元において行われる上記の操作と類似の操作を、水平次元において実行することができる。具体的に、検出部は、アンテナアレイで発射できる複数の水平ビームのうち少なくとも一部の水平ビームのアンテナゲインを検出することで、少なくとも一部の水平ビームのうちに最も大きなアンテナゲインを有する水平ビームに対応する水平プリコーディングインデックスを取得する。そして、水平プリコーディング行列確定モジュール６２０は、水平プリコーディングインデックスと水平プリコーディング行列コードブックに従って、水平プリコーディング行列を確定する。
【００６８】
本発明の１つの例示によれば、アンテナアレイが水平次元において複数のビームを発射でき、つまり、複数の水平ビームを発射できる。各方式で設置されるアンテナアレイで発射できる水平ビームの数量を、予めＵＥに記憶する、又は特定の無線基地局が発射できる垂直ビームの数量をＵＥに通知する。以上式（２）におけるＣは、確定されたアンテナアレイで発射できる水平のビームの数量であってもよい。この場合に、検出部は、アンテナアレイで発射できる全ての複数の水平ビームのアンテナゲインを検出し、且つアンテナアレイで発射できる全部の複数の水平ビームのうちに最も大きなアンテナゲインを有する水平ビームに対応する水平プリコーディングインデックスに従って、ｎの値を確定する。また、本発明の例示の他の１つによれば、無線基地局は、事前情報に従って、複数の水平ビームのうちの一部の水平ビームだけを使用してＵＥに信号を送信すると確定し、且つ無線基地局によって選択された水平ビームをＵＥに通知する。この場合に、本発明の他の１つの例示によれば、受信部５１０は、さらに、第二数量情報を無線基地局から受信する。第二数量情報が複数の垂直ビームのうちに移動局と通信するための水平ビームの第二数量を指示するものである。以上式（２）におけるＣは、受信された第二数量情報によって指示される第二数量であってもよい。検出部は、アンテナアレイで発射する第二数量の水平ビームのアンテナゲインだけを検出し、且つアンテナアレイで発射する第二数量の水平ビームのうちに最も大きなアンテナゲインを有する水平ビームに対応する水平プリコーディングインデックスに従って、ｎの値を確定する。よって、ＵＥで行うべき操作を簡略化する。
【００６９】
また、検出部は、確定されたアンテナアレイに従って偏波プリコーディングインデックスを生成する。偏波プリコーディングインデックスは、ＵＥで偏波を行う方式を指示する。例えば、ＵＥがアンテナアレイから発射される信号に対して水平偏波を行う時に、以上式（３）におけるｋの値が１であってもよく、ＵＥがアンテナアレイから発射される信号に対して垂直偏波を行う時に、以上式（３）におけるｋの値が２であってもよい。偏波プリコーディング行列確定モジュール６３０は、確定されたアンテナアレイに従って、偏波プリコーディング行列を生成する。
【００７０】
そして、プリコーディング行列生成モジュール６４０は、水平プリコーディング行列、垂直プリコーディング行列と偏波プリコーディング行列に従って、移動局のためのプリコーディング行列を生成する。例えば、プリコーディング行列生成モジュール６４０は、以上式（４）又は（５）によって、移動局のためのプリコーディング行列を生成する。
【００７１】
また、本発明の他の１つの例示によれば、図５に示す移動局５００は、送信部を含む。水平プリコーディングインデックス、垂直プリコーディングインデックス及び偏波プリコーディングインデックスを生成した後に、送信部は、無線基地局が移動局のためのプリコーディング行列を生成するように、生成された水平プリコーディングインデックス、垂直プリコーディングインデックス及び偏波プリコーディングインデックスを無線基地局に送信する。
【００７２】
本発明の実施例による移動局は、無線基地局のアンテナ配置に従ってコードブックを柔軟に生成することができ、予め移動局において、異なるアンテナ配置についてそれぞれプリコーディング行列を生成する方法を確定する必要がない。
【００７３】
上記無線基地局４００と移動局５００の操作は、ハードウェアで実現されてもよく、プロセッサによって実行されるソフトウェアモジュールで実現されてもよく、且つ、さらに、両者を組み合わせて実現してもよい。
【００７４】
ソフトウェアモジュールは、任意のフォーマットの記憶媒体に配置してもよく、例えばＲＡＭ（ランダムアクセスメモリ）、フラッシュメモリ、ＲＯＭ（リードオンリーメモリー）、ＥＰＲＯＭ（消去可能プログラム可能ＲＯＭ）、ＥＥＰＲＯＭ（電気消去可能プログラム可能ＲＯＭ）、レジスター、ハードディスク、リムーバブルディスク、及びＣＤ−ＲＯＭ。
【００７５】
プロセッサがこの記憶媒体に情報を書き込む又はこの記憶媒体から情報を読み出すように、この記憶媒体をプロセッサに接続する。この記憶媒体は、プロセッサに設置されてもよい。この記憶媒体とプロセッサとは、ＡＳＩＣに配置されてもよい。このＡＳＩＣは、基地局装置４００と移動局５００とに配置されてもよい。この記憶媒体とプロセッサとは、ディスクリート部品として、基地局装置４００と移動局５００とに配置されてもよい。
【００７６】
このため、上記実施例を使用することで、本発明を詳しく説明したが、当業者にとって、本発明は、説明した実施例に限定しない。本発明は、請求の範囲によって限定される本発明の範囲を逸脱しない場合に、修正の模式や変更の模式として実現することができる。このため、明細書の記述は、あくまで例示を説明するものであり、且つ、本発明に制限の意味を与えない。
【００７７】
本出願は、２０１５年４月９日出願の中国特許出願第２０１５１０１６６４７２．９号に基づく。この内容は、全てここに含めておく。
【図１】
2016163543.tif 000008
【図２】
2016163543.tif 000009
【図３】
2016163543.tif 000010
【図４】
2016163543.tif 000011
【図５】
2016163543.tif 000012
【図６】
2016163543.tif 000013
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
複数のアンテナポートを利用して通信を行う移動局であって、
第１の次元におけるアンテナポート数量を示す第１数量情報及び第２の次元におけるアンテナポート数量を示す第２数量情報を無線基地局から受信する受信部と、
前記第１数量情報及び／又は前記第２の数量情報を用いて取得したプリコーディング行列コードブックのインデックスを前記無線基地局に送信する送信部と、を有し、
前記受信部は、前記第１の次元で送信されるビームに対するサンプリングレートを示す第１のサンプリングレート情報と、前記第２の次元で送信されるビームに対するサンプリングレートを示す第２のサンプリングレート情報と、を受信し、前記プリコーディング行列コードブックのインデックスは、前記第１の数量情報及び／又は前記第２の数量情報に加えて、前記第１のサンプリングレート情報及び／又は前記第２のサンプリングレート情報を用いて取得する移動局。
【請求項２】
前記送信部は、前記第１の次元に対応する第１のプリコーディング行列コードブックのインデックスと、前記第２の次元に対応する第２のプリコーディング行列コードブックのインデックスと、第３のプリコーディング行列コードブックのインデックスと、を送信する請求項１に記載の移動局。
【請求項３】
前記受信部は、前記無線基地局が送信可能となる複数ビームの中から選択された一部のビームを選択的に受信する請求項１又は請求項２に記載の移動局。
【請求項４】
前記第１の次元は前記無線基地局のアンテナアレイの水平次元であり、前記第２の次元は前記無線基地局のアンテナアレイの垂直次元である請求項１から請求項３のいずれかに記載の移動局。
【請求項５】
前記第１のプリコーディング行列コードブックのインデックスは、水平プリコーディング行列コードブックのインデックスであり、前記第２のプリコーディング行列コードブックのインデックスは、垂直プリコーディング行列コードブックのインデックスであり、前記第３のプリコーディング行列コードブックのインデックスは、偏波プリコーディング行列コードブックのインデックスである請求項２に記載の移動局。
【請求項６】
複数のアンテナポートを利用して移動局と通信を行う無線基地局であって、
第１の次元におけるアンテナポート数量を示す第１数量情報と、第２の次元におけるアンテナポート数量を示す第２数量情報と、前記第１の次元で送信されるビームに対するサンプリングレートを示す第１のサンプリングレート情報と、前記第２の次元で送信されるビームに対するサンプリングレートを示す第２のサンプリングレート情報とを移動局に送信する送信部と、
前記第１数量情報及び／又は前記第２の数量情報と、前記第１のサンプリングレート情報及び／又は前記第２のサンプリングレート情報とを用いて前記移動局が取得したプリコーディング行列コードブックのインデックスを前記移動局から受信する受信部と、を含む無線基地局。
【請求項７】
複数のアンテナポートを利用して通信を行う移動局の通信方法であって、
第１の次元におけるアンテナポート数量を示す第１数量情報及び第２の次元におけるアンテナポート数量を示す第２数量情報を無線基地局から受信する工程と、
前記第１数量情報及び／又は前記第２の数量情報を用いて取得したプリコーディング行列コードブックのインデックスを前記無線基地局に送信する工程と、を有し、
前記第１の次元で送信されるビームに対するサンプリングレートを示す第１のサンプリングレート情報と、前記第２の次元で送信されるビームに対するサンプリングレートを示す第２のサンプリングレート情報と、を受信し、前記プリコーディング行列コードブックのインデックスは、前記第１の数量情報及び／又は前記第２の数量情報に加えて、前記第１のサンプリングレート情報及び／又は前記第２のサンプリングレート情報を用いて取得することを特徴とする無線通信方法。
【国際調査報告】
2016163543.tif 000014
2016163543.tif 000015
2016163543.tif 000016
2016163543.tif 000017